(57)【要約】  前方開口を備えているコンパートメント（２０）を画定する胴体と、摺動可能で、首を振るように前方開口を閉じる扉（３２）と、１つに接続されている２個の直線のセグメント（５２、５４）を有しているＬ形状のガイド（５０）と、を有する家具物品（ＭＣ）を説明する。外側に平行に、そして外側に沿って直動可能な指令部材（６０）によって扉を動かすことができる。【選択図】図３ｂ
2020528115.tif 000002
【特許請求の範囲】
【請求項１】
前方開口を備えているコンパートメント（２０）を画定する胴体と、
摺動可能で、首を振るように前記前方開口を閉じる扉（３２）と、
１つに接続されている２個の直線のセグメント（５２、５４）を有しているＬ形状のガイド（５０）であって、第１のセグメント（５２）は、前記開口の縁に平行で、第２のセグメント（５４）は、前記第１のセグメントに直交しており、先述の前記胴体の外側に前記コンパートメントの奥行き方向に沿って配置されているガイドと、
前記外側に平行で前記外側に沿って直動可能な指令部材（６０）と、
を有し、
前記扉の横方向の縁は、前記ガイドと摺動可能に結合しており、
前記扉の反対側の横方向の縁は、揺動する態様（Ｘ２）で前記指令部材に接続されており、前記指令部材の交互の直線運動によって、前記扉が前記開口を閉じる第１の位置、または前記扉が前記開口を開いて、先述の前記外側と並んで配置される第２の位置に移動する、
家具の物品（ＭＣ）。
【請求項２】
ただ１つの扉（３２）を有し、前記扉の側部は、摺動可能に前記ガイドに結合され、前記扉の反対側の側部は、前記指令部材にたとえば垂直の軸線（Ｘ２）を中心にヒンジ接続されている、請求項１に記載の物品。
【請求項３】
請求項１で定められている第１の扉（３２）と、
前記第１の扉に首を振る態様で接続されている第２の扉（３０）と、
を有し、
前記第１の扉の側部は、前記指令部材にたとえば垂直の軸線（Ｘ２）を中心にヒンジ接続されており、前記第１の扉の反対の側は、摺動可能に前記ガイドに結合されており、
前記第２の扉は、その側部が前記第１の扉に最も近い位置で前記ガイドに摺動可能に結合されている、
請求項１に記載の物品。
【請求項４】
前記第２の扉は、前記第１の扉に最も近い先述の前記側部の位置で、前記第１の扉に第２の、たとえば垂直の軸線（Ｘ）を中心にヒンジ接続されている、請求項３に記載の物品。
【請求項５】
前記扉の両方を前記第２の位置に向けて移動している間に、前記第２の扉を前記第１の扉に対して前記第２のヒンジ接続軸線（Ｘ）を中心に回転させる手段を有する、請求項３または４に記載の物品。
【請求項６】
前記直動可能な指令部材（７０）は、前記外側に接続されている摺動レールに沿って移動可能に取り付けられているキャリッジを有している、請求項１から５のいずれか１項に記載の物品。
【請求項７】
Ｌ形状に配置されており、かつ前記扉が折り曲げられたときに前記扉が収容される第２のコンパートメントつまり収容部分を区画するために、前記コンパートメント上に、そして前記コンパートメントに対して移動可能に取り付けられている、２個の垂直な壁を、前記キャリッジが支持している、請求項１から６のいずれか１項に記載の物品。
【請求項８】
前記直動可能な指令部材（７０）に力を作用させて、休止位置に移動させる戻り要素つまり手段を有する、請求項１から７のいずれか１項に記載の物品。
【請求項９】
指令部材（７０）がその行程を終了する時に、それを制動する緩衝器を有する、請求項１から８のいずれか１項に記載の物品。
【請求項１０】
扉（３０）は、前記Ｌ形状のガイドに摺動可能に取り付けられているキャリッジ（４０）に固定することによって、先述の前記ガイド（５０）に結合されている、請求項１から９のいずれか１項に記載の物品。
【請求項１１】
前記ガイドの前記第１のセグメント（５２）及び前記第２のセグメント（５４）は、湾曲している部分（５６）によって接続されており、たとえば水平な平面上にある、請求項１から１０のいずれか１項に記載の物品。
【発明の詳細な説明】
【技術分野】
【０００１】
本発明は、折りたためるように摺動し揺動する扉を備えている、特に扉によって閉じることができるコンパートメントを備えている家具物品に関する。
【背景技術】
【０００２】
開いている位置で自体の寸法を減少させることができ、したがってヒンジ接続されている扉の欠点を回避することができるように、摺動し折り畳まれる扉が、多くの家具に備わっている。図１ａ〜１ｄは、既知の構造の平面図を示しており、コンパートメント１０は、２個の、摺動し折り畳まれる扉１２、１４によって閉じることができる前方開口を有している（図１ａ）。コンパートメント１０を露出させるためには、扉１２、１４を横に移動させ、扉１２、１４をその隣接している側で結びつけている共通の垂直のヒンジ接続の軸線Ｑを中心に回転させる。Ｑ軸線は、扉１２、１４が互いに重ねられ（図１ｃ）、それらをコンパートメントの側部に移動させると（図１ｄ）、コンパートメントから離れるように移動する（図１ｂ）。
【発明の概要】
【発明が解決しようとする課題】
【０００３】
扉１２、１４の変位は、手動であって、操作が非常に困難であるが、それは使用者が扉１２、１４上で様々な動き、すなわち、少なくともそれらを重ねる１回の動き、及びコンパートメントの側部に沿ってそれらを押す１回の動きを行う必要があるからである。扉に力学における死点を乗り越えさせ、手動の苦労を減少させるためにばねが導入されていても、動きの複雑さには変化がないままである。
【０００４】
この現状技術の改良が添付の請求項に定義されている本発明の主な目的であって、従属請求項は、有利な変形例を定めている。
【０００５】
他の目的は、使用が容易で、使用には移動がほとんど必要なく、使用中に疲れない、摺動する蛇腹のような折りたたみ扉によって閉じることができるコンパートメントを有している家具物品を提供することである。
【０００６】
前方開口を備えているコンパートメントを画定する胴体と、
摺動可能で、首を振るように前方開口を閉じる（垂直または水平の）扉と、
１つに接続されている２個の直線のセグメントを有しているＬ形状のガイドであって、第１のセグメントは、開口の縁に平行で、第２のセグメントは、第１のセグメントに直交しており、胴体の外側にコンパートメントの奥行き方向に沿って配置されているガイドと、
該外側に平行で該外側に沿って直動可能な指令部材と
を有し、
扉の横方向の縁は、ガイドと摺動可能に結合しており、
扉の反対側の横方向の縁は、揺動する態様で指令部材に接続されており、指令部材の交互の直線運動によって、扉が開口を閉じる第１の位置、または扉が開口を開いて、該外側と並んで配置される第２の位置に移動する、
家具の物品が提案される。
【０００７】
言い換えると、指令部材は、２個の位置、すなわち
外側（側面）の前に配置されており、そこから前方に実質的に突き出していない休止位置と、
外側（及びコンパートメント）に対して水平方向にオフセットして、外側から、そしてコンパートメントから前方に突き出している位置と
の間を移動可能である（直動可能な指令部材は、コンパートメントの前方開口の方向に移動し、コンパートメントの後部から離れるように移動する）。
【０００８】
第１の変形例によれば、家具物品は、１つの扉のみを有している。扉の側部は、摺動可能にガイドに結合され、扉の反対側の側部は、指令部材にたとえば垂直の軸線を中心にヒンジ接続されている。
【０００９】
他の変形例によれば、家具物品は、前述のように定められている第１の扉及び第１の扉に首を振る態様で接続されている（たとえば、互いにヒンジ接続されている）第２の扉を有している。
【００１０】
第１の扉は、その側部が第２のセグメントに最も近い位置でガイドに摺動可能に結合されている。第１の扉の側部は、直動可能な指令部材に第１の軸線を中心にヒンジ接続されている。第１の扉の反対側の側部は、ガイドに摺動可能に結合されており、具体的には、第２の軸線を中心に第２の扉にヒンジ接続することができる。
【００１１】
第１の扉がガイドに直接結合されていないときは、第２の扉を介して結合されている。しかし、直動可能な指令部材は、コンパートメントの奥行き方向に平行に発生するその交互の直動運動によって運動エネルギーを連続している扉に伝達して、扉を動作させることができる。
【００１２】
それから、第２の変形例において、扉は蛇腹のように少なくとも１個の軸線を中心に折りたたみ可能であり、コンパートメントの前部で互いに同一平面に配置されている、コンパートメントを閉じる位置と、互いに折り畳まれており、互いに重ねて畳まれて、コンパートメントの該側部つまり側面に沿って配置されている、コンパートメントを開く位置との間を摺動することになる。
【００１３】
扉は、直動可能な指令部材の交互の変位によって動くように設定されていて便利である。
【００１４】
両方の変形例において、コンパートメントの該外側は、側部（側面）、上面、または底面であり得る。したがって、１個または２個以上の扉は、コンパートメントの隣で、コンパートメントの上方、またはその下方に隠すことが可能である。第１の場合、Ｌ形状のガイドは、水平方向に配置されている両方のセグメントを有しているのに対して、第２の場合、第１のセグメントは水平であって、第２のセグメントは垂直である。つまり、１個または２個の扉を備えている前述の変形例は、水平方向または垂直方向に移動するように適合している扉を使用して実装することができる。第１の場合、前述の軸線は垂直であって、第２の場合、それらは水平である。以下では、簡単化のため、水平方向に移動する扉の場合を参照し、第２の場合は、第１の場合に必要な変更を加えていることがわかる。
【００１５】
第１のヒンジ接続軸線は、水平方向に剛性を備えて移動できるように、直動可能な指令部材に支持されている。それから、そのような第１の軸線は、２個の端位置、すなわち休止の端位置と、（よりコンパートメントから離れている）前進の端位置との間を水平方向に移動可能である。直動可能な指令部材の交互の動きに対応して、第１の軸線の第１の端位置から常に始まり、第２に到着し、再び第１に戻る、第１の軸線の変位と、ガイドに沿った第２の軸線の移動との両方が存在する。このガイドに沿った第２の軸線の変位は、直動可能な指令部材の２個の連続している交互の運動の間に、ある方向に、そして反対の方向に発生する。第１の端位置で、第１の軸線は前方開口の平面と実質的に同一平面にまたはその平面の近くに配置されており、この構成に対して、扉の閉じている位置と開いている位置が対応している。第２の端位置に対応して、軸線は前方開口の平面から直交方向に離れており、この構成には、扉の中間位置が対応している。
【００１６】
家具物品は、両扉を第２の位置に向けて移動している間に、第２の扉を第１の扉に対して第２のヒンジ接続軸線を中心に回転させる手段を有していることが好ましい。特に、回転が徐々であって、１個または各扉の直動運動に同期しているように、手段は構成されており、たとえば、家具物品は、扉の第２／第１の位置に向けた移動中に、第２の扉を第１の扉に向けて／離れるように第２のヒンジ接続軸線を中心に回転させる手段を有している。
【００１７】
直動可能な指令部材は、コンパートメント上に直動可能に取り付けられており、コンパートメントの奥行きを示している方向に実質的に平行にコンパートメントに対して摺動するように垂直な壁を有していることが好ましい。直動可能な指令部材は、互いに直交しており、コンパートメント上に、そしてコンパートメントに対して移動可能に取り付けられている２個の垂直な壁を有していることがより好ましい。第１の変形例において、２個の垂直な壁は、Ｌとして配置されており、扉がまとめられたときに扉が収容される第２のコンパートメントつまり収容領域を区画するように、コンパートメント上に、そしてコンパートメントに対して移動可能に取り付けられている。第２の変形例において、２個の垂直な壁は、Ｔのように配置されており、扉がまとめられたときに扉が収容される第２のコンパートメントつまり収容領域を閉じるように、コンパートメント上に、そしてコンパートメントに対して移動可能に取り付けられている。これによって、扉を使用していないときに、扉を覆い、ほこりから保護し、それらの機構に対する偶発的な衝撃を避けることができる。
【００１８】
家具物品は、戻し要素つまり力を直動可能な指令部材に作用させる手段を有していることが好ましい。戻し要素つまり手段は、直動可能な指令部材を休止位置、つまり第１の端位置に向けて移動させるように作動する。したがって、使用者は、第１の端位置から第２の端位置に移動させるように、直動可能な指令部材を自分に向けて引くだけでよく、直動可能な指令部材は、解放されたときに、戻し要素つまり手段によって、自動的に位置に戻ることになる。
【００１９】
家具物品は、直動可能な指令部材用のガイドシステムを有していることが好ましい。特に、駆動システムは、
家具物品の奥行きの方向に沿って配置されている家具物品の枠に一体の第１のガイドと、
家具物品の高さの方向に沿って配置されている指令部材に一体の第２のガイドと、
直動可能な指令部材が２個の位置の間を移動する時に、第１のガイド及び第２のガイドに同時に沿って直線状に摺動できるように取り付けられている部材と
を有している。
【００２０】
より具体的に、駆動システムは、
第２のガイドとして、家具物品の奥行きの方向に沿って配置されている家具物品の枠に一体の２個のバーと、
ガイド沿って直線状に摺動可能で、直動可能な指令部材に摺動するように結合されている２個のスキッドと
を有している。
【００２１】
さらにより具体的には、２個の平行なバーは、水平方向に対して傾斜しており、２個のスキッドは、それに対して垂直に移動可能なように直動可能な指令部材に一体の垂直のガイドに結合されている。
【００２２】
スキッドは、たとえば、スキッドが移動する時の粘性摩擦と同等の抵抗力を発生するように、たとえば、磁性ブレーキまたは緩衝器を有していることが好ましい。
【００２３】
衝撃または振動を避けるために、家具物品は、指令部材が休止位置と指令部材が水平方向にオフセットしている位置との間を移動するその移動を終了するときに、直動可能な指令部材を制動するための緩衝器を有していることが好ましい。
【００２４】
組み立てを促進するために、扉は、ガイドに摺動するように取り付けられているキャリッジに締結することによって、ガイドに結合されている。
【００２５】
ガイドの第１のセグメント及び第２のセグメントは、キャリッジ及び／またはガイドの摺動に役立つように、湾曲している接合部分によって接続されていることが好ましい。
【００２６】
ガイドの第１のセグメント及び第２のセグメントは、摺動可能なそれぞれの車輪がキャリッジ上に回転可能に設けられている横に並んで配置された２個のトラックを区画する垂直の壁、たとえばＬ形状のもの、を有していることが好ましい。特に、キャリッジは、最も内側のトラック内で摺動可能な車輪が前進方向に沿って他方の車輪を前進させるように、キャリッジ上に取り付けられているそれぞれのトラック内で各々が係合している２個の車輪だけを有している。このように、Ｌの湾曲をキャリッジがより滑らかに移動し、キャリッジによって運ばれる扉は、Ｌ形状の湾曲が係合するやいなや、家具物品の外側を素早く移動する。
【００２７】
直動可能な指令部材はアルミニウム枠であることが好ましい。
【００２８】
該側部つまり側面を構成している家具物品の垂直な壁は、接続接合部分が配置されており、キャリッジが一方のセグメントから他方へ移動するように通過可能な凹部つまり入口を有しているように単純で堅牢な構造になっていることが好ましい。
【００２９】
本発明の利点は、添付の図面を参照した好ましい実施形態の以下の説明からより明らかになる。
【図面の簡単な説明】
【００３０】
【図１ａ】既知の１個の家具の扉の開く過程を平面図で模式的に示している。
【図１ｂ】、既知の１個の家具の扉の開く過程を平面図で模式的に示している。
【図１ｃ】既知の１個の家具の扉の開く過程を平面図で模式的に示している。
【図１ｄ】既知の１個の家具の扉の開く過程を平面図で模式的に示している。
【図２ａ】本発明の１個の家具の扉の開く過程を図３ａの平面Ｓについて平面図で断面を模式的に示している。
【図２ｂ】本発明の１個の家具の扉の開く過程を図３ａの平面Ｓについて平面図で断面を模式的に示している。
【図２ｃ】本発明の１個の家具の扉の開く過程を図３ａの平面Ｓについて平面図で断面を模式的に示している。
【図２ｄ】本発明の１個の家具の扉の開く過程を図３ａの平面Ｓについて平面図で断面を模式的に示している。
【図２ｅ】本発明の１個の家具の扉の開く過程を図３ａの平面Ｓについて平面図で断面を模式的に示している。
【図３ａ】図２ａ〜２ｅに関連して家具物品の３次元の図を示している。
【図３ｂ】図２ａ〜２ｅに関連して家具物品の３次元の図を示している。
【図４ａ】扉の閉じる過程を平面図で示している。
【図４ｂ】扉の閉じる過程を平面図で示している。
【図４ｃ】扉の閉じる過程を平面図で示している。
【図４ｄ】扉の閉じる過程を平面図で示している。
【図５ａ】扉の閉じる過程を平面図で示している。
【図５ｂ】扉の閉じる過程を平面図で示している。
【図５ｃ】扉の閉じる過程を平面図で示している。
【図５ｄ】扉の閉じる過程を平面図で示している。
【図６】家具物品の変形例の３次元の図を示している。
【図７】家具物品の変形例の平面図を示している。
【図８ａ】２個の異なる構成の一方における家具物品の後ろからの３次元の図を示している。
【図８ｂ】２個の異なる構成の一方における家具物品の後ろからの３次元の図を示している。
【発明を実施するための形態】
【００３１】
図面において、同じ番号は、同じまたは概念的に類似している部分を示しており、要素は、使用状態で説明している。
【００３２】
本発明の家具物品ＭＣは、コンパートメント２０によって構成されているモジュール（図３ａ、３ｂ）を有しており、コンパートメント２０は、底２２、天井２４、コンパートメント２０の幅だけ互いに離れている２個の側部の垂直の壁２６、及び後方壁２８によって区画されている外側に向いて開いている空間を定めている。
【００３３】
コンパートメント２０は、コンパートメント２０の前で摺動可能な２個の扉３０、３２によって止めることができる前方範囲を形成している。
【００３４】
扉３０、３２は、コンパートメント２０を閉じたり、外側からアクセスできるようにしたままにしたりするように、コンパートメント２０の前で蛇腹のように移動可能である。移動中、扉３０、３２は常に垂直のままで、それらの相対位置をコンパートメント２０に対して変更する。コンパートメント２０が閉じられているときには、扉３０、３２は互いに隣り合っており、同一平面上にあるのに対して（図２ａ）、コンパートメント２０を露出させるために、扉３０、３２は、コンパートメント２０の一方の側で互いに積み重ねるように移動可能である（図２ｄ〜２ｅ）。
【００３５】
３０で、扉３０、３２を積み重ねることができるコンパートメント２０の側から最も遠い扉を慣習的に示しているのに対して、３２でその側に最も近い扉を示している。
【００３６】
扉３０、３２の（互いに最も近い）隣接している側は、垂直なヒンジ接続軸線Ｘを中心に１つにヒンジ接続されている。または、扉３２は、キャリッジ４０にヒンジ接続され得る。
【００３７】
扉３０は、水平方向に、そしてコンパートメント２０に対して横方向に摺動するように移動可能なキャリッジ４０だけによって支持されている。
【００３８】
移動可能なキャリッジ４０は、たとえば、（図２ｂの拡大図を参照）プレート４４を有していて、プレート４４には４個の車輪４２が長方形の頂点に従って取り付けられており、車輪４２はキャリッジ４０が前後に移動可能なＬ形状の平坦なガイド上に係合している。安定性のために、車輪４２は、たとえばガイドの対向している側に対になって配置されている。
【００３９】
ガイドは、水平で互いに直交している２個の直線のセグメント５２、５４を有している。
【００４０】
第１のセグメント５２は、コンパートメント２０の前方縁（または、同様に、扉３０、３２が同一平面で横に並んでいる平面に対して）に平行であって、面一である。第２のセグメント５４は、コンパートメント２０の前方縁に直交している（または、同様に、扉３０、３２が横に並んでいる平面に対して直交している）。セグメント５４は、２個の壁２６の一方に平行で、隣接して、そして外側に取り付けられている。セグメント５２及びセグメント５４は、湾曲しているまたはＬ状に曲がっていることが好ましい接合部分５６によって接続されている。
【００４１】
セグメント５２は、コンパートメント２０の外側の縁のわずかに内側に保持されるように、天井２４に固定されていることが好ましい。第２のセグメント５４は、接合部分５６を組み立て、キャリッジ４０が一方の直線状のセグメントから他方へ通過できるようにする凹部２６ｒを有している側壁２６の外側に固定されている。Ｌ形状のガイドが天井２４の上方に取り付けられている場合、凹部２６ｒは省略され得る。
【００４２】
より安定させるために、扉３０の基部もキャリッジ４０と同等なキャリッジによって案内されていることが好ましく、２個のキャリッジは同期して動かすことができる。しかし、たとえば、キャリッジ４０と同様なただ１つの、またはもう１つのキャリッジが扉３０の半分の高さに位置している他の変形例も可能である。
【００４３】
扉３０は、他方の扉３２にヒンジ接続されている扉３０自体の垂直方向の縁、つまりキャリッジ４０に固定されているセグメント５４に面する扉３０の縁の位置で、キャリッジ４０に結合されている。
【００４４】
前述のようにすることによって、そして従来のように使用されることで、扉３０は、唯一キャリッジ４０に取り付けられており、扉３２は、扉３０、３２が同一平面であるときにセグメント５４に最も近い扉である。
【００４５】
扉３０、３２の移動を簡単にするために、家具物品ＭＣは、壁２６に平行な（言い換えると、セグメント５４に平行な、つまり壁２８に直交する）方向に沿って、直線状に−Ｄｉｎ及びＤｏｕｔで示している直動方向を参照−直動可能な移動可能な枠、側面、つまり部材６０（図２ｂを参照）を有している。移動可能な枠、側面、つまり部材６０は、たとえば、コンパートメントの側部に取り付けられている直線状のガイド、または他の既知の手段、たとえばスキッドによって直線状に直動可能である。
【００４６】
図２ａ〜２ｅ及び３ａ〜３ｂにおいて、部材６０は、家具物品ＭＣの移動可能な側部の変形例に示されており、平面視でＬ形状の断面を有し、扉３０、３２がまとめられたときには隣接している壁２６と共に収容コンパートメントを区画する。この好ましい変形例によれば、部材６０は、壁２６とほぼ同じ大きさの垂直方向の横方向の壁６２及び壁６２に直交しており壁２８に平行な前方壁６４を有している。
【００４７】
軸線Ｘとは反対側の扉３２の端は、垂直な軸線Ｘ２を中心に部材６０にヒンジ接続されている（図２ｃ及び３ａ〜３ｂ）。必要に応じて、扉３２が壁６２に対して狭くなりすぎないことを補償する接続スペーサ７０が存在する。要素７０は、コンパートメントが閉じられたときに扉３０、３２及び前方壁６４を平坦にするヒンジのアームであり得る。
【００４８】
前述の構造のおかげで、扉３０、３２を部材６０の作動によってコンパートメント２０の前でそれから移動させることが可能で、困難な態様での手による、または他の手段による扉３０、３２の移動を避けることができる。
【００４９】
扉３２と部材６０との間の結合は有利であるが、それは、同一平面の状態（図２ａ）からまとめられ隠されている状態（図２ｅ）まで、またはその反対に、扉３０、３２を共に移動させる際に、使用者は（たとえばハンドル６６を介して）部材６０を前後に移動させるだけでよいためである。これによって、扉３０、３２の変位動作が簡単になる。
【００５０】
前方壁６４が壁２６の前方縁上に乗って（図２ｅ）、扉３０、３２によってコンパートメント２０が閉じられたときに、最後に扉３０、３２と同一平面になるように、部材６０はセグメント５４を取り付ける垂直な壁２６に平行に前後に（方向Ｄｉｎ及びＤｏｕｔに）直動可能である。
【００５１】
図２〜２ｅに示している構成の過程を参照する。
【００５２】
図３ａ〜３ｂは、図２ｂの家具物品ＭＣの構成を３次元で示している。
【００５３】
図２ａにおいて、扉３０、３２は、コンパートメント２０を閉じるように、同一平面内にあって、互いに隣接している。ここでキャリッジ４０は、行程の最後で、セグメント５２上にある。
【００５４】
コンパートメント２０を露出させるために、部材６０はコンパートメント２０から徐々に取り出される、つまり、部材６０の牽引力は、部材６０を物品ＭＣから取り出す（Ｄｏｕｔ方向）（使用者に向かう移動させる、つまり、後方壁２８からの後退させる）ためには充分である。部材６０のこの変位によって、衝撃が扉３０に扉３２を通して付与される。それから、扉３０は、セグメント５４に向けて移動し（図２ａの右側）、キャリッジ４０は、セグメント５２上を（図２ｂ）結合部５６に向けて移動し、扉３０のセグメント５４に向けた水平方向の直動を定める（図２ａの方向Ｖ）。一方、扉３２はＸ軸線を中心に回転し、部材６０にヒンジ接続されているその垂直方向の縁をコンパートメント２０から離れるように、そして、扉３０に近づいて重なるように移動させる。キャリッジ４０が、接合部分５６に到達するまでセグメント５２上を移動すると（図２ｃ）、扉３２は軸線Ｘを中心に扉３０に向けて回転し続ける。
【００５５】
部材６０によって与えられる初期の動きの衝撃は、扉３０をガイドに沿って動くようにするだけでなく、キャリッジ４０を押して、扉３２を接合部分５６まで移動させ（図２ｃ）、慣性によって扉３２を接合部分５６を越える（図２ｄ）のに充分な運動エネルギーを扉３０に与える。
【００５６】
接合部分５６に到着すると、キャリッジ４０は、接合部分５６を通り、通過し、セグメント５４上を動き始める（図２ｄ）。接合部分５６の湾曲の間、扉３０は、図２ａの自体の初期位置に直交するまで、キャリッジ４０と一体に扉３２に向けて回転する。一方、扉３２は、部材６０の壁６２に対して平坦になっている。
【００５７】
この点において（図２ｄ）、扉３０、３２は、互いにまとめられており、物品ＭＣの内側に部材６０を戻して（後方壁２８に向けた変位）、キャリッジ４０の接合部分５６を越えた移動を終了させる（図２ｅ）には、部材６０を（方向Ｄｉｎに）わずかに押すだけで充分である。この最後の動きの間に、キャリッジ４０は、接線方向に、そして壁２６に平行に後方壁２８に向けて移動する。
【００５８】
キャリッジ４０は、セグメント５４上を接合部分５６の反対の端位置まで継続して移動する（図２ｅ）。最後の位置で、扉３０、３２は、互いにまとめられて、両方がコンパートメント２０に対して横方向に、セグメント５４が取り付けられている壁２６の外側に位置する。
【００５９】
コンパートメントを覆うように、部材６０は再度引き出され、扉３０、３２の移動が逆の順番で繰り返される。
【００６０】
前述の開くまたは閉じる動作は使用者を疲れさせるものではなく、扉３０、３２の移動はほとんど自動的に行われる。コンパートメント２０を開く場合と閉じる場合の両方で、扉３０、３２の運動を開始させるためには、部材６０を引き、部材６０を物品ＭＣから（Ｄｏｕｔの方向に）取り出す（使用者に向けて変位させる、つまり後方壁２８から離す）だけで充分である。部材６０のこの変位は、扉３０をガイドに沿って動かすだけではなく、キャリッジ４０を接合部分５６まで押し（図２ｃ）、慣性によって接合部分５６を越えさせる（図２ｄ）のに充分な運動エネルギーを扉３０に扉３２を通して与える衝撃を加え、これは、Ｌ形状のガイドの２個の反対の移動方向に当てはまる。物品ＭＣ内に戻して（後方壁２８に向けて移動させて）、キャリッジ４０の接合部分５６を越えた移動を終了させるには、部材６０をわずかに（方向Ｄｉｎに）押すだけで充分である（図２ａまたは図２ｅ）。
【００６１】
そのため、扉３０の加速されている質量は、部材６０上のコンパートメント２０に向けた推力（図２ｃの方向Ｄｉｎを参照）が扉３０、３２に対して効果を生まないか、またはそれらを止めてしまいがちな死点（図２ｃと２ｄとの間のほぼ中間の構成）を避けて、キャリッジ４０が接合部分５６に沿って移動できるようにする一種の弾み車を構成している。
【００６２】
物品ＭＣは、部材６０を壁２８に向けて（方向Ｄｉｎ）戻すように、部材６０の戻し手段（たとえばばねやつり合い重り）を有していることが好ましい。このように、使用者は、キャリッジ４０が接合部分５６を越えるか接合部分５６に進入するまで部材６０を自分に向けて引くだけでよい。その後、部材６０を解放し、部材６０は、戻し手段によって駆動されている扉３０、３２と共にその移動を終えることになる。
【００６３】
物品ＭＣは、部材６０が、方向Ｄｉｎでその移動を終えるときに、部材６０を緩やかに制動する緩衝器を有していることが好ましい。このように、端位置での衝突と速すぎる急な動きが防止される。
【００６４】
家具ＭＣは、図１ａ〜１ｃの扉１２、１４のような蛇腹を形成するように扉３０に後の端で接続される第３の扉を有し得る。
【００６５】
本発明の１個の家具は、図４ａ〜４ｄの物品ＭＣ２の変形例に示しているように、ただ１個の扉も有し得る。部材６０の構造、キャリッジ４０の構造、及びＬ形状のガイドの構造は、前述のものと同じである。
【００６６】
コンパートメント８０は、１個の摺動する扉８２で閉じることができる前方開口を有している（図４ａ）。扉８２は、（扉３２のように）部材６０にヒンジ接続されている側部を有し、反対の側部はキャリッジ４０に支持され、ヒンジ接続されている（ここでは図示していない）。
【００６７】
コンパートメント８０を露出させるには、扉８２が部材６０上で平坦になって、元の位置に対して直交するまで（図４ｃ）、前述のように、扉８２の摺動する縁がセグメント５２、５４に沿って移動するように（図４ｂ）、第１の部材６０が引かれる。それから、部材６０は、扉８２を隠すように物品ＭＣ２に向けて押され（図４ｄ）、セグメント５４上でのその行程を終了し、最後はキャビネットＭＣ２の側部と平行になる。
【００６８】
本発明の１個の家具は、たとえば、図５ａ〜５ｄの変形例ＭＣ３に示しているように、自動的に扉をまとめる手段を有し得る。部材６０の構造、キャリッジ４０の構造、及びＬ形状のガイドの構造は、たとえば、前述のものと同等である。
【００６９】
ここで、コンパートメント９０は、２個の摺動する扉９２、９４によって閉じることができる前方開口を有している（図５ａ）。扉９２、９４は、それぞれ物品ＭＣの扉３０、３２と同様に接続されており、扉９２、９４をまとめているときに（図５ｂ）、トルクを扉９０に作用させてＸ軸線を中心に扉９４に向けて回転させる機構が追加されている。
【００７０】
したがって、扉９２、９４は、コンパートメントの横に配置する前に（図５ｄ）、既に重なっており、同一平面内にある（図５ｃ）。他の利点は、キャリッジがまだ死点を通過していない時に、コンパートメントはより開いていることにある。
【００７１】
この機構は、たとえば、同期しているヒンジ（つまり、角度方向の開きを同期させるヒンジ）、または、Ｘ軸線に取り付けられてトルクを発生するばねを使用して実装することができる。
【００７２】
機構は、コンパートメントの閉じる段階中は、扉９０を反対の方向に回転させるように動作することが好ましい。
【００７３】
機構及び家具物品ＭＣ、ＭＣ２、またはＭＣ３は、多くの変形を行うことができる。図６の家具物品ＭＣ４およびそれに続く家具物品は、単独で、または１個のまたは各変形例ＭＣ、ＭＣ２、またはＭＣ３において組み合わせることによって使用可能なそれらのいくつかを示している。
【００７４】
扉３０は、水平方向に、そしてコンパートメント２０に対して横方向に摺動するように移動可能な１４０で示している異なるキャリッジによって支持されている。扉３０と扉３２との間の接続は、たとえば図３ａに対して変更されていない。
【００７５】
移動可能なキャリッジ１４０は、たとえば、２個の車輪１４２ａ、１４２ｂが垂直方向に枢動してそれぞれの（Ｘ及び／またはＸ２に平行な）軸線Ｘ７を中心に回転するプレート１４４を有している（図６の拡大を参照）。
【００７６】
車輪１４２ａ、ｂは、前述のように、キャリッジ１４０が前後に移動できるＬ形状の平坦なガイド上に係合し摺動する。ガイドは、水平で互いに直交し、湾曲している肘形状のセグメントによって接続されている２個のまっすぐなセクション１５２、１５４を有している。セクション１５２、１５４は、セグメント５２、５４と機能的に同様である。
【００７７】
車輪１４２ａ、ｂの軸線Ｘ７は、平行にわずかにオフセットしている垂直方向の平面内に含まれている。そのため、車輪１４２ａ、ｂの一方、最も内側のトラックを走行する車輪は、他方の車輪に対して、後方壁２８により近く、セクション１５４にもより近い。車輪１４２ａ、ｂは、それぞれのトラックの内側を摺動して、扉を移動させる。車輪１４２ａ、ｂのキャリッジ１４０上の相対的な配置は有利であるが、それは、セクション１５２、１５４の湾曲している接合部分に到達したときに、キャリッジ１４０は、扉３０を支持しながら扉３０と共に外向きに回転するからである。
【００７８】
この変形例において、セクション１５２、１５４は、横に並んでいる２個のトラックからなり、その内側を車輪１４２ａ、ｂが案内されている態様で摺動することが可能で、たとえば、トラックは、横に並んでいる３個のＬ形状の垂直方向の隔壁１９９で作り得る。
【００７９】
図７を参照して、車輪１４２ａ、ｂ用のトラックの開始部分は、閉じている扉３０の位置に対応して、湾曲１９８を有している他の好ましい変形例を想像し得る。湾曲１９８は、トラックの向きから後方壁２８に向けてわずかに逸脱しており、したがってキャリッジ１４０は、扉３０、３２がコンパートメント２０を覆う端位置で後方壁２８に向けてわずかに押し戻され、それによって、扉３０はコンパートメント２０に向けて直動する。したがって、扉３０は、障害物なしに摺動するように、家具物品からわずかに間隔を開けて摺動する一方で、よりよく閉じるように１個の家具の枠に接着される。
【００８０】
枠、側面、つまり移動可能な部材６０（図６を参照）は、異なる構造も有し得る。枠、側壁、つまり移動可能な要素の変形例を１６０で示しており、前述のように直線状に直動可能である。しかし、その形状は、壁２６とほぼ寸法が等しい垂直方向の側壁１６２及び壁６２に直交し壁２８に平行な前方壁１６４からなる新しい例において変更されている。前方壁１６４及び壁１６２は、Ｔの断面を形成し、つまり、前方壁１６４は、中点の想像上の線に対応している壁１６２の垂直な縁に取り付けられている。前方壁１６４は、２個または３個以上の同一平面内のパネルからも形成し得る。
【００８１】
たとえば６０または１６０で示しているような指令部材と家具の残りの部分との間の結合は、前述の同じ一般的な動作を維持しながら、変化し得る。
【００８２】
たとえば、図８ａ、８ｂは、部材６０または１６０の直動を摺動するように支持する様々な方法を示している。
【００８３】
たとえば６０または１６０のように作られている指令部材は、２個のスキッド２１０が直線状に摺動可能な垂直方向のガイド２００と一体である。たとえば、スキッド２１０は、たとえば、ガイド２００上のスキッド２１０の動きを滑らかにする磁性ダンパを有している。
【００８４】
各スキッド２１０は、たとえば、バー２４０を介して、剛性を備えて他方のスキッドに結びつけられており、１個の家具の枠に一体であって、側壁２６の外側に取り付けられているそれぞれのまっすぐなバー２３０に摺動可能に拘束されている。２個のバー２３０は平行であって、互いに離れており、水平に対して傾斜していることが好ましい。
【００８５】
バー２４０は、バー２３０に沿って離れずに水平方向に摺動し、スキッド２１０のおかげでガイド２００上を垂直方向に同時に摺動する。
【００８６】
扉３０、３２を移動させるように部材６０または１６０が前後に移動（動きＤｏｕｔ及びＤｉｎ）するとき、摺動するスキッド２１０は、バー２３０に沿って移動し、その結果、スキッド２１０はガイド２００に沿って一体に上下する。このように部材６０または１６０の動きは、引っかかりや振動を避けるために安定化される。
【００８７】
スキッド２１０と家具の枠の固定点との間にたとえばばねの弾性要素があることが好ましい。弾性部材は、スキッド２１０を部材６０または１６０の端位置の一方または各々に対応している休止位置に向けて押したり引いたりする弾性力を発生する（つまり、家具物品の枠内に挿入されるか、枠から完全に取り出される）ように取り付けられている。この弾性要素は、部材６０または１６０の動きを促進する及び／または補助する役割がある。
【図１ａ】
2020528115.tif 000003
【図１ｂ】
2020528115.tif 000004
【図１ｃ】
2020528115.tif 000005
【図１ｄ】
2020528115.tif 000006
【図２ａ】
2020528115.tif 000007
【図２ｂ】
2020528115.tif 000008
【図２ｃ】
2020528115.tif 000009
【図２ｄ】
2020528115.tif 000010
【図２ｅ】
2020528115.tif 000011
【図３ａ】
2020528115.tif 000012
【図３ｂ】
2020528115.tif 000013
【図４ａ】
2020528115.tif 000014
【図４ｂ】
2020528115.tif 000015
【図４ｃ】
2020528115.tif 000016
【図４ｄ】
2020528115.tif 000017
【図５ａ】
2020528115.tif 000018
【図５ｂ】
2020528115.tif 000019
【図５ｃ】
2020528115.tif 000020
【図５ｄ】
2020528115.tif 000021
【図６】
2020528115.tif 000022
【図７】
2020528115.tif 000023
【図８ａ】
2020528115.tif 000024
【図８ｂ】
2020528115.tif 000025
【国際調査報告】
2020528115.tif 000026
2020528115.tif 000027